(57)【要約】【課題】転送したい画像だけを容易に選択することができる撮影画像転送システム及び撮影画像転送装置を提供する。【解決手段】撮影画像転送装置２００は、表示装置２０１を備えており、表示装置２０１の下方には、撮影画像を画像転送先サーバ１０６に転送するか否かを選択する選択ボタン（転送する）２０２、非選択ボタン（転送しない）２０３が配置されている。撮影して転送する画像ファイルは、撮影画像転送装置２００から無線ＬＡＮアクセスポイント１０２を経由することで、ネットワーク１０１内部に転送され、ルータ１０７を通って画像転送先サーバ１０６に転送される。【選択図】図２
2007312319.tif 000002
【特許請求の範囲】
【請求項１】
撮影画像転送装置と、無線ＬＡＮアクセスポイント及び画像転送先サーバを含む各種サーバを備えるネットワークとから構成される撮影画像転送システムにおいて、
前記撮影画像転送装置は、
画像を撮影する撮影手段と、
撮影直後に撮影画像を表示装置に表示するクイックレビュー手段と、
前記表示装置に表示中の前記撮影画像を転送するか否かを選択する転送選択手段と、
前記転送選択手段により転送が選択された場合に、前記撮影画像を転送する画像転送手段と、
前記転送選択手段により転送が選択されなかった場合に、前記撮影画像をメモリに保存する画像保存手段と、
を備えることを特徴とする撮影画像転送システム。
【請求項２】
前記転送選択手段により複数の撮影画像について転送が選択された場合に、前記複数の撮影画像の転送を予約する画像転送予約手段を備えることを特徴とする請求項１記載の撮影画像転送システム。
【請求項３】
画像を撮影する撮影手段と、
撮影直後に撮影画像を表示装置に表示するクイックレビュー手段と、
前記表示装置に表示中の前記撮影画像を転送するか否かを選択する転送選択手段と、
前記転送選択手段により転送が選択された場合に、前記撮影画像を転送する画像転送手段と、
前記転送選択手段により転送が選択されなかった場合に、前記撮影画像をメモリに保存する画像保存手段と、
を備えることを特徴とする撮影装置。
【請求項４】
さらに、前記転送選択手段により複数の撮影画像について転送が選択された場合に、前記複数の撮影画像の転送を予約する画像転送予約手段を備えることを特徴とする請求項３記載の撮影装置。
【請求項５】
さらに、前記転送選択手段により転送が選択された場合に、前記撮影画像は前記記憶媒体に保存せずに、前記撮影画像に対応する縮小画像を前記メモリに記憶させる縮小画像保存手段を有することを特徴とする請求項３記載の撮影装置。
【請求項６】
画像を撮影する撮影ステップと、
撮影直後に撮影画像を表示装置に表示するクイックレビューステップと、
前記表示装置に表示中の前記撮影画像を転送するか否かを選択する転送選択ステップと、
前記転送選択ステップにより転送が選択された場合に、前記撮影画像を転送する画像転送ステップと、
前記転送選択ステップにより転送が選択されなかった場合に、前記撮影画像をメモリに保存する画像保存ステップと、
を備えることを特徴とする撮影方法。
【請求項７】
さらに、前記転送選択手段により複数の撮影画像について転送が選択された場合に、前記複数の撮影画像の転送を予約する画像転送予約ステップを備えることを特徴とする請求項６記載の撮影方法。
【請求項８】
さらに、前記転送選択ステップにより転送が選択された場合に、前記撮影画像は前記記憶媒体に保存せずに、前記撮影画像に対応する縮小画像を前記メモリに記憶させる縮小画像保存ステップを有することを特徴とする請求項６記載の撮影方法。
【請求項９】
画像を撮影する撮影モジュールと、
撮影直後に撮影画像を表示装置に表示するクイックレビューモジュールと、
前記表示装置に表示中の前記撮影画像を転送するか否かを選択する転送選択モジュールと、
前記転送選択モジュールにより転送が選択された場合に、前記撮影画像を転送する画像転送モジュールと、
前記転送選択モジュールにより転送が選択されなかった場合に、前記撮影画像をメモリに保存する画像保存モジュールと、
をコンピュータに実行させることを特徴とする撮影プログラム。
【請求項１０】
請求項９記載の撮影プログラムを格納するコンピュータ読み取り可能な記憶媒体。
【発明の詳細な説明】
【技術分野】
【０００１】
本発明は、撮影画像転送システム及び撮影画像転送装置に関する。
【背景技術】
【０００２】
デジタル一眼レフカメラに代表される撮像装置は、撮影した画像がデジタルデータであることから、公衆回線やネットワークを介して遠隔地への画像転送が容易である。このため報道等の分野では、現像処理の手間やフィルムそのものを送る手間の必要な従来のフィルムカメラに比べて速報性に優れるデジタル一眼レフカメラの普及が進んでいる。さらに、最近では、屋外においてもケーブルを接続することなくモバイル環境にてネットワークに接続することができる無線ＬＡＮ等の技術が注目されてきている。
【０００３】
このような背景の下、デジタル一眼レフカメラと無線技術を組み合わせた、デジタル一眼レフカメラから直接ネットワークに接続して画像を転送する撮影画像転送システムも発売されてきている。
【０００４】
例えば、デジタル一眼レフカメラのメモリカードスロットに無線ＬＡＮカード（メモリカード）を挿入し、メモリカードを介してデジタル一眼レフカメラをネットワークに接続し、画像伝送を行う製品が発売されている（例えば、非特許文献１参照）。また、デジタル一眼レフカメラにケーブルで接続するアダプタータイプの無線ＬＡＮユニット等の製品が発売されている（例えば、非特許文献２参照）。
【非特許文献１】「リコー株式会社  Caplio Pro G3カタログ」、リコー株式会社、２００３年、ｐ．４
【非特許文献２】「ニコン株式会社  デジタル一眼レフカメラ D2Hカタログ」、ニコン株式会社、２００３年
【発明の開示】
【発明が解決しようとする課題】
【０００５】
しかしながら、現在の無線ＬＡＮの転送速度は、デジタル一眼レフカメラが撮影によって撮影画像を生成する速度に比べて十分に高速とは言えない。そのため、撮影後に自動的に転送しようとすると、無線ＬＡＮが動作することによってデジタル一眼レフカメラ自身の動作が遅くなったり、次の撮影動作に移ることができないことがあった。
【０００６】
この不具合を解消するために、撮影していないときにユーザーがメモリカード内の画像を選択して転送する選択転送機能を設けるものもあるが、メモリカードに保存された画像を表示しながら選択するのは、非常に手間がかり操作性が良いものではない。
【０００７】
また、メモリカードの内容を一括して選択してから転送する機能があったとしても、結局転送したくない画像選択されてしまうため大量のデータを転送しなければならず、転送中は次の動作に進めないということになる。つまり、デジタル一眼レフカメラで撮影された画像のうち、送りたい画像だけを迅速で効率よく送るという要求に応えることはできなかった。
【０００８】
本発明の目的は、転送したい画像だけを容易に選択することができる撮影画像転送システム及び撮影画像転送装置を提供することにある。
【課題を解決するための手段】
【０００９】
上記目的を達成するために、請求項１記載の撮影画像転送システムは、撮影画像転送装置と、無線ＬＡＮアクセスポイント及び画像転送先サーバを含む各種サーバを備えるネットワークとから構成される撮影画像転送システムにおいて、前記撮影画像転送装置は、画像を撮影する撮影手段と、撮影直後に撮影画像を表示装置に表示するクイックレビュー手段と、前記表示装置に表示中の前記撮影画像を転送するか否かを選択する転送選択手段と、前記転送選択手段により転送が選択された場合に、前記撮影画像を転送する画像転送手段と、前記転送選択手段により転送が選択されなかった場合に、前記撮影画像を保存する画像保存手段とを備えることを特徴とする。
【００１０】
請求項３記載の撮影装置は、画像を撮影する撮影手段と、撮影直後に撮影画像を表示装置に表示するクイックレビュー手段と、前記表示装置に表示中の前記撮影画像を転送するか否かを選択する転送選択手段と、前記転送選択手段により転送が選択された場合に、前記撮影画像を転送する画像転送手段と、前記転送選択手段により転送が選択されなかった場合に、前記撮影画像をメモリに保存する画像保存手段とを備えることを特徴とする。
【００１１】
請求項６記載の撮影方法は、画像を撮影する撮影ステップと、撮影直後に撮影画像を表示装置に表示するクイックレビューステップと、前記表示装置に表示中の前記撮影画像を転送するか否かを選択する転送選択ステップと、前記転送選択ステップにより転送が選択された場合に、前記撮影画像を転送する画像転送ステップと、前記転送選択ステップにより転送が選択されなかった場合に、前記撮影画像をメモリに保存する画像保存ステップと  を備えることを特徴とする。
【００１２】
請求項９記載の撮影プログラムは、画像を撮影する撮影モジュールと、撮影直後に撮影画像を表示装置に表示するクイックレビューモジュールと、前記表示装置に表示中の前記撮影画像を転送するか否かを選択する転送選択モジュールと、前記転送選択モジュールにより転送が選択された場合に、前記撮影画像を転送する画像転送モジュールと、前記転送選択モジュールにより転送が選択されなかった場合に、前記撮影画像をメモリに保存する画像保存モジュールとをコンピュータに実行させることを特徴とする。
【００１３】
請求項１０記載のコンピュータ読み取り可能な記憶媒体は、請求項９記載の撮影プログラムを格納する。
【発明の効果】
【００１４】
本発明によれば、撮影画像転送装置は、画像の撮影直後に撮影画像を表示装置に表示するクイックレビュー手段と、表示装置に表示中の撮影画像を転送するか否かを選択する転送選択手段とを備えるので、クイックレビューと同時に撮影画像を選択することができる。従って、転送したい画像だけを容易に選択することができる。
【発明を実施するための最良の形態】
【００１５】
以下、本発明の実施の形態を図面を参照しながら詳細に説明する。
【００１６】
図１は、本発明の実施の形態に係る撮影画像転送システムの構成を概略的に示す図である。
【００１７】
図１において、撮影画像転送システムは、撮影画像転送装置１００とネットワーク１０１とが接続されることで構成される。
【００１８】
ネットワーク１０１は、無線ＬＡＮアクセスポイント１０２、ＤＨＣＰサーバ１０３、ＤＮＳサーバ１０４、認証サーバ１０５及び画像転送先サーバ（ＦＴＰサーバ）１０６がルータ１０７で接続されることで構成される。
【００１９】
撮影画像転送装置１００は、無線ＬＡＮ装置を備えており、撮影前にあらかじめＳＳＩＤ、ＷＥＰキー、チャンネル等を設定しておき、無線ＬＡＮアクセスポイント１０２に接続できるように設定する。さらに、撮影画像転送装置１００は、自身のＩＰアドレスをＤＨＣＰサーバ１０３より取得するか、あるいはネットワーク管理者から取得したＩＰアドレスを設定する。
【００２０】
同様に、撮影画像転送装置１００は、画像転送先サーバ１０６のＩＰアドレスもしくはドメイン名、画像転送先サーバ１０６のログインＩＤ、ログインパスワード、撮影画像の保存フォルダ名等を設定する。このようにして、画像転送先サーバ１０６に対してアクセスし撮影画像を保存できるようにしておく。
【００２１】
撮影して転送する画像ファイルは、撮影画像転送装置１００から無線ＬＡＮアクセスポイント１０２を経由することで、ネットワーク１０１内部に転送され、ルータ１０７を通って画像転送先サーバ１０６に転送されることになる。
【００２２】
図２は、図１における撮影画像転送装置で撮影した画像を表示装置にクイックレビュー表示している例を示す図である。
【００２３】
図２において、撮影画像転送装置２００は、表示装置２０１を備えており、表示装置２０１の下方には、撮影画像を画像転送先サーバ１０６に転送するか否かを選択する選択ボタン（転送する）２０２、非選択ボタン（転送しない）２０３が配置されている。
【００２４】
図３は、図２の撮影画像転送装置によって実行される撮影画像転送処理の第１の手順を示すフローチャートである。
【００２５】
このフローチャートは、単写撮影時の画像転送までの一連の動作を表している。
【００２６】
図３において、まず、単写撮影を行う（ステップＳ３０１）（撮影手段）。次いで撮像素子のデータを読み込んで、画素補間処理や色処理、ガンマ補正などの現像処理を行う（ステップＳ３０２）。その後、撮影画像を縮小して、表示装置２０１に表示できる大きさのサムネイル画像を作成して、予め設定してある時間（例えば5秒間）、表示装置２０１にクイックレビュー表示する（ステップＳ３０３）（クイックレビュー手段）。
【００２７】
このとき、表示装置２０１には、同時に現在表示している撮影画像を転送するかどうか問い合わせるメッセージを撮影画像の上に重ねる形でスーパーインポーズ表示し、ユーザに“はい“または”いいえ“を選択させる（ステップＳ３０４）（転送選択手段）。
【００２８】
ユーザーは選択ボタン２０２を押すことで”はい“を選択でき、非選択ボタン２０３を押すことで”いいえ“を選択できる。”はい“を選択した場合、現在表示している撮影画像を画像転送先サーバ１０６に転送する（ステップＳ３０５）（画像転送手段）。”いいえ“を選択した場合、または「はい」や「いいえ」の選択操作がなされずにクイックレビュー設定時間（この例では5秒）が経過した場合には、ステップS３０６に移行する。ステップＳ３０６では、撮影画像転送装置２００内部に備えるＣＦカードやＳＤカード等のメモリカードにその撮影画像を保存する（画像保存手段）。
【００２９】
”はい“を選択して画像を転送する場合でも、撮影画像を転送すると同時か、もしくは転送処理と並行して撮影画像をメモリカードに保存する。または、撮影画像に対応して作成された縮小画像（サムネイル画像）だけメモリカードに保存するようにしても良い。これにより、撮影画像転送装置２００に縮小画像が少なくとも残っているので、画像転送先サーバ１０６に転送した画像を後からでも確認することが出来る。
【００３０】
なお、このクイックレビューでの画像の表示時間は、０秒（クーックレビューしない）、1秒、2秒、3秒、5秒、１０秒のいずれかよりユーザにより選択できるようになっている。
【００３１】
図３の処理によれば、クイックレビューをしているときに（ステップＳ３０３）、撮影画像を転送するかしないかを簡単に選択できるので（ステップＳ３０４）、撮影のテンポを乱すことがなくなる。また、選択した画像だけを送信するので必要の無い画像も一緒に転送することで転送動作に時間がかかりレスポンスを低下させることが無くなる。
【００３２】
図４は、図２の撮影画像転送装置によって実行される撮影画像転送処理の第２の手順を示すフローチャートである。
【００３３】
このフローチャートは、連写撮影時の撮影から画像転送までの一連の動作を表している。単写撮影時とは異なり、連写撮影の撮影と撮影の合間にはクイックレビュー表示動作は行わない。
【００３４】
図４において、撮影枚数がｎ枚とすると、ｎ枚の撮影動作が終わった後（ステップＳ４０１）（撮影手段）、すべてのコマの現像処理を行う（ステップＳ４０２）。コマ毎の動作としては撮影動作の後に現像処理を行うが、１枚目の現像処理中に２枚目の撮影動作をするというように、コマ間で並列に撮影と現像処理を実行してもよい。
【００３５】
ｎ枚目の撮影動作及び現像動作が終わると、１枚目の画像からクイックレビュー表示をする（ステップＳ４０３）（クイックレビュー手段）。そして、現在表示している撮影画像を転送するかどうか問い合わせるメッセージを、表示している画像の上にスーパーインポーズ表示し、ユーザーに“はい“または”いいえ“を選択させる（ステップＳ４０４）（転送選択手段）。
【００３６】
”はい“を選択した場合、現在表示している撮影画像を画像転送先サーバ１０６に転送し（ステップＳ４０５）（画像転送手段）、”いいえ“を選択した場合、または「はい」か「いいえ」の選択の操作がなされずにクイックレビュー設定時間（この例では5秒）が経過した場合には、ステップS４０６に移行する。ステップＳ４０６では、撮影画像転送装置２００内部に備えるＣＦカードやＳＤカード等のメモリカードにその撮影画像を保存する（ステップＳ４０６）（画像保存手段）。
【００３７】
”はい“を選択して画像を転送する場合でも、撮影画像を転送すると同時か、もしくは転送処理と並行して撮影画像をメモリカードに保存する。または、撮影画像に対応して作成された縮小画像（サムネイル画像）だけをメモリカードに保存ようにしても良い。これにより、撮影画像転送装置２００に縮小画像が少なくとも残っているので、画像転送先サーバ１０６に転送した画像を後からでも確認することが出来る。
なお、このクイックレビューでの画像の表示時間は、０秒（クーックレビューしない）、1秒、2秒、3秒、5秒、１０秒のいずれかよりユーザにより選択できるようになっている。
【００３８】
この一連の処理をｎ枚目の画像まで繰り返して（ステップＳ４０７）、このフローを終了する。クイックレビュー表示中にも撮影動作に入ることは可能であり、その場合、現在までクイックレビューしていた画像がどれであったかを内部的に記憶しておき、次の一連の撮影動作、現像処理動作が終わった後、その画像から再度クイックレビュー表示する。そして、ユーザに転送するかしないかを選択させる。
【００３９】
図４の処理によれば、連写撮影（ステップＳ４０１）であっても、撮影画像を転送するかしないかを簡単に選択することができるので（ステップＳ４０４）、撮影のテンポを乱すことがなくなる。また、必要の無い画像も一緒に転送することで転送動作に時間がかかったりすることが無いため、快適な操作性が得られる。
【００４０】
上記実施の形態では、撮影動作後のクイックレビュー時に転送画像を選択し、選択された画像を転送するところまでが連続的な動作となっている。しかし、連写撮影で転送する枚数も非常に多いような場合では、転送路のスピードが遅いことが原因となって撮影画像転送装置２００のレスポンスが遅れ、撮影のテンポが乱され、ついにはシャッターチャンスを逃してしまうことが考えられる。
【００４１】
このような場合は、撮影時にはクイックレビュー表示と転送画像を選択するところまで行っておき、撮影をしていないときに転送だけ行うという方法をとることで問題が回避できる。
【００４２】
図５は、図２の撮影画像転送装置によって実行される撮影画像転送処理の第３の手順を示すフローチャートである。
【００４３】
このフローチャートは、連写撮影時に画像転送を選択すると、画像転送予約し、画像保存するまでの一連の動作を表している。
【００４４】
図５において、まず、単写撮影を行う（ステップＳ５０１）（撮影手段）。次いで撮像素子のデータを読み込んで、画素補間処理や色処理、ガンマ補正などの現像処理を行う（ステップＳ５０２）。その後、撮影画像を縮小して、表示装置２０１に表示できる大きさのサムネイル画像を作成して、予め設定してある時間（例えば5秒間）、表示装置２０１にクイックレビュー表示する（ステップＳ５０３）（クイックレビュー手段）。
【００４５】
このとき、表示装置２０１には、同時に現在表示している撮影画像を転送するかどうか問い合わせるメッセージをスーパーインポーズ表示し、ユーザーに“はい“または”いいえ“を選択させる（ステップＳ５０４）（転送選択手段）。
【００４６】
ユーザーは選択ボタン２０２を押すことで”はい“を選択でき、非選択ボタン２０３を押すことで”いいえ“を選択できる。”はい“を選択した場合、現在表示している撮影画像に対して画像転送予約を示すフラグビットを立てておく等の方法で画像転送予約を行う（ステップＳ５０５）（画像転送予約手段）。そして、撮影画像転送装置２００内のＣＦカードやＳＤカード等のメモリカード内にそのフラグつきの撮影画像を保存する（ステップＳ５０６）（画像保存手段）。
【００４７】
ユーザーが転送しないと選択した場合には、画像転送予約を示すフラグビットを下げたままにしておき、撮影画像転送装置２００内のメモリカードにその撮影画像を保存する（ステップＳ５０７）。この一連の処理をｎ枚目の画像まで繰り返して（ステップＳ５０８）、このフローを終了する。これを複数の画像に対して繰り返し行い、メモリカードに複数の撮影画像に対して転送予約フラグを設定可能とする。
【００４８】
ユーザは、撮影をしないときにＧＵＩの操作によって、撮影画像転送装置２００内のメモリカード内の撮影画像のうち、この転送予約を示すフラグを参照して、転送画像として選択したが未転送となっている画像を一度に転送するように指示することができる。その場合、メモリカード内部の１枚１枚の画像ファイルに対して、画像転送予約を示すフラグビットをチェックしていき、フラグビットが立っている画像だけを画像転送先サーバ１０６に転送する。
【００４９】
図５の処理によれば、撮影が連続して行われ（ステップＳ５０８）、画像転送に時間がかかってしまうような場合においても、クイックレビュー表示時に画像を転送するか否か簡単に選択することができる。そして、撮影が行われていないときにユーザーの指示で転送したい画像だけを転送できるので、撮影のテンポを乱すことやシャッターチャンスを逃すことがなく、かつ、無駄な画像を転送するようなことも無くなる。そのために、撮影画像転送装置２００全体のレスポンスが早くなり、快適な操作性が得られる。
【００５０】
上記の実施例では、画像送信先として画像転送先サーバで説明したが、パーソナルコンピュータや、HDDレコーダ等の記憶装置であっても良い。
【００５１】
＜他の実施形態＞
以上、実施形態例を詳述したが、本発明は、例えば、システム、装置、方法、プログラム若しくは記憶媒体等としての実施態様をとることが可能である。具体的には、複数の機器から構成されるシステムに適用しても良いし、また、一つの機器からなる装置に適用しても良い。
【００５２】
尚、本発明は、前述した実施形態の機能を実現するソフトウェアのプログラム（実施形態では図に示すフローチャートに対応したプログラム）を、各装置に直接或いは遠隔から供給できるようにしても良い。また、その装置の処理部が該供給されたプログラムコードを読み出して実行することによって、上記の実施形態を実行可能とする場合を含む。
【００５３】
従って、本発明の機能処理をコンピュータで実現するために、該コンピュータにインストールされるプログラムコード自体も本発明を実現するものである。つまり、本発明は、本発明の機能処理を実現するためのコンピュータプログラム自体も含まれる。
【００５４】
その場合、プログラムの機能を有していれば、オブジェクトコード、インタプリタにより実行されるプログラム、ＯＳに供給するスクリプトデータ等の形態であっても良い。
【００５５】
プログラムを供給するための記録媒体としては、例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷでもよい。また、磁気テープ、不揮発性のメモリカード、ＲＯＭ、ＤＶＤ（ＤＶＤ−ＲＯＭ，ＤＶＤ−Ｒ）などでもよい。
【００５６】
その他、プログラムの供給方法としては、クライアントコンピュータのブラウザを用いてインターネットのホームページに接続し、該ホームページから本発明のコンピュータプログラムそのものを受信しても良い。もしくはこのプログラムが圧縮され、自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００５７】
また、本発明のプログラムを暗号化してＣＤ−ＲＯＭ等の記憶媒体に格納してユーザに配布してもよい。そして、所定の条件をクリアしたユーザに対し、インターネットを介して暗号化を解く鍵情報を取得させ、その鍵情報を使用することにより暗号化されたプログラムを実行してコンピュータにインストールさせて実現しても良い。
【００５８】
また、そのプログラムの指示に基づき、コンピュータ上で稼動しているＯＳなどが、実際の処理の一部または全部を行い、その処理によっても前述した実施形態の機能が実現する場合も本発明に含まれる。
【００５９】
さらに、本発明のプログラムが、コンピュータに挿入された機能拡張ボードや機能拡張ユニットに備わるＣＰＵなどが実際の処理の一部または全部を行い、その処理によって実施形態の機能が実現される場合も本発明の範疇である。
【図面の簡単な説明】
【００６０】
【図１】本発明の実施の形態に係る撮影画像転送システムの構成を概略的に示す図である。
【図２】図１における撮影画像転送装置で撮影した画像を表示装置にクイックレビュー表示している例を示す図である。
【図３】図１における撮影画像転送装置で撮影した画像を表示装置にクイックレビュー表示している例を示す図である。
【図４】図２の撮影画像転送装置によって実行される撮影画像転送処理の第２の手順を示すフローチャートである。
【図５】図２の撮影画像転送装置によって実行される撮影画像転送処理の第３の手順を示すフローチャートである。
【符号の説明】
【００６１】
１００  撮影画像転送装置
１０１  ネットワーク
１０２  無線ＬＡＮアクセスポイント
１０３  ＤＨＣＰサーバ
１０４  ＤＮＳサーバ
１０５  認証サーバ
１０６  画像転送先サーバ
１０７  ルータ
２００  撮影画像転送装置
２０１  表示装置
２０２  選択ボタン
２０３  非選択ボタン
【図１】
2007312319.tif 000003
【図２】
2007312319.tif 000004
【図３】
2007312319.tif 000005
【図４】
2007312319.tif 000006
【図５】
2007312319.tif 000007